(57)【要約】【課題】大口径比であり、またフォーカスレンズ群が小型・軽量で、かつフォーカスレンズ群の移動量が小さく、さらに高い光学性能を有するズームレンズおよびこのズームレンズを備えた撮像装置を提供する。【解決手段】物体側から順に、正の屈折力を有する第１レンズ群Ｇ１、負の屈折力を有する第２レンズ群Ｇ２、正の屈折力を有する第ｍｐレンズ群を含む１つもしくは２つの中間レンズ群、全系の最も像側に配置された正の屈折力を有する最終レンズ群から実質的になり、隣接するレンズ群の間隔を全て変化させることによって変倍を行うズームレンズであって、第ｍｐレンズ群全体のみ、もしくは、第ｍｐレンズ群を構成する一部のレンズ群のみを光軸に沿って移動させることにより、無限遠物体から最至近物体への合焦が行われ、合焦の際に移動するレンズ群は、正レンズと負レンズを有し、かつ全体として正の屈折力を有し、所定の条件式を満足するものとする。【選択図】図１
2016050945.tif 000002
【特許請求の範囲】
【請求項１】
全体として４つもしくは５つのレンズ群から実質的になり、物体側から順に、正の屈折力を有する第１レンズ群、負の屈折力を有する第２レンズ群、正の屈折力を有する第ｍｐレンズ群を含む１つもしくは２つの中間レンズ群、全系の最も像側に配置された正の屈折力を有する最終レンズ群から実質的になり、隣接するレンズ群の間隔を全て変化させることによって変倍を行うズームレンズであって、
前記第ｍｐレンズ群全体のみ、もしくは、前記第ｍｐレンズ群を構成する一部のレンズ群のみを光軸に沿って移動させることにより、無限遠物体から最至近物体への合焦が行われ、
合焦の際に移動するレンズ群は、正レンズと負レンズを有し、かつ全体として正の屈折力を有し、
下記条件式（１）および（２）を満足する
ことを特徴とするズームレンズ。
１．６７＜ｆ１／ｆＧｆ＜２．７０  …（１）
１．１５＜ｆ１／ｆＧｒ＜１．８５  …（２）
ただし、
ｆ１：前記第１レンズ群の焦点距離
ｆＧｆ：前記合焦の際に移動するレンズ群の焦点距離
ｆＧｒ：前記最終レンズ群の焦点距離
【請求項２】
前記第１レンズ群は、変倍の際に像面に対して固定されている
請求項１記載のズームレンズ。
【請求項３】
前記最終レンズ群は、変倍の際に像面に対して固定されている
請求項１または２記載のズームレンズ。
【請求項４】
前記合焦の際に移動するレンズ群は、２枚の正レンズと１枚の負レンズから実質的になる
請求項１から３のいずれか１項記載のズームレンズ。
【請求項５】
前記第ｍｐレンズ群全体のみを光軸に沿って移動させることにより、無限遠物体から最至近物体への合焦が行われる
請求項１から４のいずれか１項記載のズームレンズ。
【請求項６】
下記条件式（３）を満足する
請求項１から５のいずれか１項記載のズームレンズ。
１．２０＜ｆｔ／ｆ１＜２．２０  …（３）
ただし、
ｆｔ：望遠端における無限遠物体への合焦の際の全系の焦点距離
【請求項７】
下記条件式（４）を満足する
請求項１から６のいずれか１項記載のズームレンズ。
５．３０＜ｆｔ／｜ｆ２｜＜８．８０  …（４）
ただし、
ｆｔ：望遠端における無限遠物体への合焦の際の全系の焦点距離
ｆ２：前記第２レンズ群の焦点距離
【請求項８】
下記条件式（５）を満足する
請求項１から７のいずれか１項記載のズームレンズ。
５７＜νｄＧｍｐ  …（５）
ただし、
νｄＧｍｐ：前記合焦の際に移動するレンズ群に配置された正レンズの最大アッベ数
【請求項９】
前記第１レンズ群は、物体側から順に、負レンズ、正レンズ、正レンズ、正レンズから実質的になる
請求項１から８のいずれか１項記載のズームレンズ。
【請求項１０】
前記第２レンズ群は、２枚の正レンズと２枚の負レンズを有する
請求項１から９のいずれか１項記載のズームレンズ。
【請求項１１】
物体側から順に、前記第１レンズ群、前記第２レンズ群、前記第ｍｐレンズ群、前記最終レンズ群の４つのレンズ群から実質的になる
請求項１から１０のいずれか１項記載のズームレンズ。
【請求項１２】
絞りが前記最終レンズ群の最も物体側に配置されている
請求項１から１１のいずれか１項記載のズームレンズ。
【請求項１３】
下記条件式（１−１）を満足する
請求項１から１２のいずれか１項記載のズームレンズ。
１．７２＜ｆ１／ｆＧｆ＜２．６０  …（１−１）
【請求項１４】
下記条件式（２−１）を満足する
請求項１から１３のいずれか１項記載のズームレンズ。
１．２０＜ｆ１／ｆＧｒ＜１．７５  …（２−１）
【請求項１５】
下記条件式（３−１）を満足する
請求項１から１４のいずれか１項記載のズームレンズ。
１．２３＜ｆｔ／ｆ１＜２．００  …（３−１）
ただし、
ｆｔ：望遠端における無限遠物体への合焦の際の全系の焦点距離
【請求項１６】
下記条件式（４−１）を満足する
請求項１から１５のいずれか１項記載のズームレンズ。
５．５０＜ｆｔ／｜ｆ２｜＜８．６０  …（４−１）
ただし、
ｆｔ：望遠端における無限遠物体への合焦の際の全系の焦点距離
ｆ２：前記第２レンズ群の焦点距離
【請求項１７】
下記条件式（５−１）を満足する
請求項１から１６のいずれか１項記載のズームレンズ。
５７＜νｄＧｍｐ＜８５  …（５−１）
ただし、
νｄＧｍｐ：前記合焦の際に移動するレンズ群に配置された正レンズの最大アッベ数
【請求項１８】
下記条件式（５−２）を満足する
請求項１から１７のいずれか１項記載のズームレンズ。
５９＜νｄＧｍｐ  …（５−２）
ただし、
νｄＧｍｐ：前記合焦の際に移動するレンズ群に配置された正レンズの最大アッベ数
【請求項１９】
下記条件式（５−３）を満足する
請求項１から１８のいずれか１項記載のズームレンズ。
５９＜νｄＧｍｐ＜８５  …（５−３）
ただし、
νｄＧｍｐ：前記合焦の際に移動するレンズ群に配置された正レンズの最大アッベ数
【請求項２０】
請求項１から１９のいずれか１項記載のズームレンズを備えた撮像装置。
【発明の詳細な説明】
【技術分野】
【０００１】
本発明は、特にデジタルカメラやレンズ交換式デジタルカメラ等に好適なズームレンズおよびこのズームレンズを備えた撮像装置に関するものである。
【背景技術】
【０００２】
変倍比が２．５〜３．０程度で、ズーム全域での開放Ｆ値がＦ２．８、もしくは、Ｆ４程度で一定である、いわゆるＦ値通しのズームレンズが知られている。
【０００３】
このようなズームレンズは、例えば、物体側から順に、正の屈折力を有し変倍時に固定された第１レンズ群、負の屈折力を有し強い変倍作用を有する第２レンズ群、それに加え、正の屈折力を有するレンズ群を含む１または２程度の変倍群、変倍時に固定された最終レンズ群の、４群もしくは５群で構成されている。
【０００４】
このような構成を持つズームレンズとしては、特許文献１〜５に記載のものが知られている。
【先行技術文献】
【特許文献】
【０００５】
【特許文献１】特開２０１１−９９９６４号公報
【特許文献２】特開２０１３−１７４７５８号公報
【特許文献３】特開２０１３−７８７８号公報
【特許文献４】特開２０１２−２７２１７号公報
【特許文献５】特開２０１１−１５８５９９号公報
【発明の概要】
【発明が解決しようとする課題】
【０００６】
特許文献１では、第１レンズ群を構成する一部のレンズ群をフォーカスに用いているが、レンズ径が大きく、フォーカス駆動系への負荷が非常に大きい。
【０００７】
特許文献２〜５では、第３レンズ群でフォーカスを行っており、フォーカスレンズ群の小型化および軽量化がなされている。しかし、特許文献２および３では、開放Ｆ値がＦ４．１と大きな口径比は得られていない。また、特許文献４では、開放Ｆ値Ｆ２．９を実現しているが、フォーカスレンズ群の屈折力が弱く、フォーカスレンズ群の移動量が大きい。また、特許文献５では、特許文献４とは逆にフォーカスレンズ群の屈折力が強く、フォーカス時の収差変動を抑えることが難しい。
【０００８】
本発明は上記事情に鑑みなされたものであり、大口径比であり、またフォーカスレンズ群が小型・軽量で、かつフォーカスレンズ群の移動量が小さく、さらに高い光学性能を有するズームレンズおよびこのズームレンズを備えた撮像装置を提供することを目的とするものである。
【課題を解決するための手段】
【０００９】
本発明のズームレンズは、全体として４つもしくは５つのレンズ群から実質的になり、物体側から順に、正の屈折力を有する第１レンズ群、負の屈折力を有する第２レンズ群、正の屈折力を有する第ｍｐレンズ群を含む１つもしくは２つの中間レンズ群、全系の最も像側に配置された正の屈折力を有する最終レンズ群から実質的になり、隣接するレンズ群の間隔を全て変化させることによって変倍を行うズームレンズであって、第ｍｐレンズ群全体のみ、もしくは、第ｍｐレンズ群を構成する一部のレンズ群のみを光軸に沿って移動させることにより、無限遠物体から最至近物体への合焦が行われ、合焦の際に移動するレンズ群は、正レンズと負レンズを有し、かつ全体として正の屈折力を有し、下記条件式（１）および（２）を満足することを特徴とする。
１．６７＜ｆ１／ｆＧｆ＜２．７０  …（１）
１．１５＜ｆ１／ｆＧｒ＜１．８５  …（２）
ただし、ｆ１：第１レンズ群の焦点距離、ｆＧｆ：合焦の際に移動するレンズ群の焦点距離、ｆＧｒ：最終レンズ群の焦点距離とする。
【００１０】
なお、第ｍｐレンズ群は、レンズ群の一部（サブレンズ群）ではなく、１つの独立したレンズ群である。ここで、独立したレンズ群とは、変倍の際に隣り合うレンズ群の間隔が変化するレンズ群のことである。また、中間レンズ群が２つのレンズ群からなり、かつ、２つとも正の屈折力を有する場合には、どちらのレンズ群を第ｍｐレンズ群としてもよい。
【００１１】
本発明のズームレンズにおいては、下記条件式（１−１）および／または（２−１）を満足することが好ましい。
１．７２＜ｆ１／ｆＧｆ＜２．６０  …（１−１）
１．２０＜ｆ１／ｆＧｒ＜１．７５  …（２−１）
【００１２】
また、第１レンズ群は、変倍の際に像面に対して固定されていることが好ましい。
【００１３】
また、最終レンズ群は、変倍の際に像面に対して固定されていることが好ましい。
【００１４】
また、合焦の際に移動するレンズ群は、２枚の正レンズと１枚の負レンズから実質的になることが好ましい。
【００１５】
また、第ｍｐレンズ群全体のみを光軸に沿って移動させることにより、無限遠物体から最至近物体への合焦が行われることが好ましい。
【００１６】
また、下記条件式（３）を満足することが好ましい。なお、下記条件式（３−１）を満足することがより好ましい。
１．２０＜ｆｔ／ｆ１＜２．２０  …（３）
１．２３＜ｆｔ／ｆ１＜２．００  …（３−１）
ただし、ｆｔ：望遠端における無限遠物体への合焦の際の全系の焦点距離、ｆ１：第１レンズ群の焦点距離とする。
【００１７】
また、下記条件式（４）を満足することが好ましい。なお、下記条件式（４−１）を満足することがより好ましい。
５．３０＜ｆｔ／｜ｆ２｜＜８．８０  …（４）
５．５０＜ｆｔ／｜ｆ２｜＜８．６０  …（４−１）
ただし、ｆｔ：望遠端における無限遠物体への合焦の際の全系の焦点距離、ｆ２：第２レンズ群の焦点距離とする。
【００１８】
また、下記条件式（５）を満足することが好ましい。なお、下記条件式（５−１）、（５−２）、（５−３）を満足することがより好ましい。
５７＜νｄＧｍｐ  …（５）
５７＜νｄＧｍｐ＜８５  …（５−１）
５９＜νｄＧｍｐ  …（５−２）
５９＜νｄＧｍｐ＜８５  …（５−３）
ただし、νｄＧｍｐ：合焦の際に移動するレンズ群に配置された正レンズの最大アッベ数とする。
【００１９】
また、第１レンズ群は、物体側から順に、負レンズ、正レンズ、正レンズ、正レンズから実質的になることが好ましい。
【００２０】
また、第２レンズ群は、２枚の正レンズと２枚の負レンズを有することが好ましい。
【００２１】
また、物体側から順に、第１レンズ群、第２レンズ群、第ｍｐレンズ群、最終レンズ群の４つのレンズ群から実質的になることが好ましい。
【００２２】
また、絞りが最終レンズ群の最も物体側に配置されていることが好ましい。
【００２３】
本発明の撮像装置は、上記記載の本発明のズームレンズを備えたものである。
【００２４】
なお、上記「〜から実質的になる」とは、構成要素として挙げたもの以外に、実質的にパワーを有さないレンズ、絞りやマスクやカバーガラスやフィルタ等のレンズ以外の光学要素、レンズフランジ、レンズバレル、撮像素子、手ぶれ補正機構等の機構部分、等を含んでもよいことを意図するものである。
【００２５】
また、アッベ数はｄ線（波長５８７．６ｎｍ）を基準としたものである。
【００２６】
また、上記のレンズの面形状や屈折力の符号は、非球面が含まれている場合は近軸領域で考えるものとする。
【発明の効果】
【００２７】
本発明のズームレンズは、全体として４つもしくは５つのレンズ群から実質的になり、物体側から順に、正の屈折力を有する第１レンズ群、負の屈折力を有する第２レンズ群、正の屈折力を有する第ｍｐレンズ群を含む１つもしくは２つの中間レンズ群、全系の最も像側に配置された正の屈折力を有する最終レンズ群から実質的になり、隣接するレンズ群の間隔を全て変化させることによって変倍を行うズームレンズであって、第ｍｐレンズ群全体のみ、もしくは、第ｍｐレンズ群を構成する一部のレンズ群のみを光軸に沿って移動させることにより、無限遠物体から最至近物体への合焦が行われ、合焦の際に移動するレンズ群は、正レンズと負レンズを有し、かつ全体として正の屈折力を有し、下記条件式（１）および（２）を満足するものとしたので、大口径比であり、またフォーカスレンズ群が小型・軽量で、かつフォーカスレンズ群の移動量が小さく、さらに高い光学性能を有するズームレンズとすることが可能となる。
１．６７＜ｆ１／ｆＧｆ＜２．７０  …（１）
１．１５＜ｆ１／ｆＧｒ＜１．８５  …（２）
【００２８】
本発明の撮像装置は、本発明のズームレンズを備えているため、小型、軽量であり、かつ、高画質の画像を取得することができる。
【図面の簡単な説明】
【００２９】
【図１】本発明の一実施形態にかかるズームレンズ（実施例１と共通）のレンズ構成を示す断面図
【図２】本発明の実施例２のズームレンズのレンズ構成を示す断面図
【図３】本発明の実施例３のズームレンズのレンズ構成を示す断面図
【図４】本発明の実施例４のズームレンズのレンズ構成を示す断面図
【図５】本発明の実施例５のズームレンズのレンズ構成を示す断面図
【図６】本発明の実施例６のズームレンズのレンズ構成を示す断面図
【図７】本発明の実施例７のズームレンズのレンズ構成を示す断面図
【図８】本発明の実施例８のズームレンズのレンズ構成を示す断面図
【図９】本発明の実施例９のズームレンズのレンズ構成を示す断面図
【図１０】本発明の実施例１０のズームレンズのレンズ構成を示す断面図
【図１１】本発明の実施例１１のズームレンズのレンズ構成を示す断面図
【図１２】本発明の実施例１のズームレンズの各収差図
【図１３】本発明の実施例２のズームレンズの各収差図
【図１４】本発明の実施例３のズームレンズの各収差図
【図１５】本発明の実施例４のズームレンズの各収差図
【図１６】本発明の実施例５のズームレンズの各収差図
【図１７】本発明の実施例６のズームレンズの各収差図
【図１８】本発明の実施例７のズームレンズの各収差図
【図１９】本発明の実施例８のズームレンズの各収差図
【図２０】本発明の実施例９のズームレンズの各収差図
【図２１】本発明の実施例１０のズームレンズの各収差図
【図２２】本発明の実施例１１のズームレンズの各収差図
【図２３】本発明の実施例１のズームレンズの各横収差図
【図２４】本発明の実施例２のズームレンズの各横収差図
【図２５】本発明の実施例３のズームレンズの各横収差図
【図２６】本発明の実施例４のズームレンズの各横収差図
【図２７】本発明の実施例５のズームレンズの各横収差図
【図２８】本発明の実施例６のズームレンズの各横収差図
【図２９】本発明の実施例７のズームレンズの各横収差図
【図３０】本発明の実施例８のズームレンズの各横収差図
【図３１】本発明の実施例９のズームレンズの各横収差図
【図３２】本発明の実施例１０のズームレンズの各横収差図
【図３３】本発明の実施例１１のズームレンズの各横収差図
【図３４】本発明の一実施形態による撮像装置の前面側を示す斜視図
【図３５】図３４の撮像装置の背面側を示す斜視図
【発明を実施するための形態】
【００３０】
以下、本発明の実施形態について図面を参照して詳細に説明する。図１は本発明の一実施形態にかかるズームレンズのレンズ構成を示す断面図である。図１に示す構成例は、後述の実施例１のズームレンズの構成と共通である。図１においては、左側が物体側、右側が像側であり、図示されている絞りＳｔは必ずしも大きさや形状を表すものではなく、光軸Ｚ上の位置を示すものである。
【００３１】
図１に示すように、このズームレンズは、物体側から順に、正の屈折力を有する第１レンズ群Ｇ１、負の屈折力を有する第２レンズ群Ｇ２、正の屈折力を有する第３レンズ群Ｇ３（本発明における第ｍｐレンズ群に相当）、正の屈折力を有する第４レンズ群Ｇ４（本発明における最終レンズ群に相当）からなり、隣接するレンズ群の間隔を全て変化させることによって変倍を行うものである。
【００３２】
このズームレンズを撮像装置に適用する際には、レンズを装着するカメラ側の構成に応じて、光学系と像面Ｓｉｍの間にカバーガラス、プリズム、赤外線カットフィルタやローパスフィルタなどの各種フィルタを配置することが好ましいため、図１では、これらを想定した平行平面板状の光学部材ＰＰをレンズ系と像面Ｓｉｍとの間に配置した例を示している。
【００３３】
このズームレンズは、第３レンズ群Ｇ３（第ｍｐレンズ群）全体のみを光軸に沿って移動させることにより、無限遠物体から最至近物体への合焦が行われる。なお、合焦の際に移動するレンズ群は、第３レンズ群Ｇ３（第ｍｐレンズ群）全体のみではなく、第３レンズ群Ｇ３（第ｍｐレンズ群）を構成する一部のレンズ群のみとすることもできるが、第３レンズ群Ｇ３（第ｍｐレンズ群）全体のみとした方が、フォーカス時の収差変動を小さく抑えることができる。この合焦の際に移動するレンズ群は、正レンズと負レンズを有し、かつ全体として正の屈折力を有する。
【００３４】
このようなインナーフォーカス方式を採用することで、フォーカスレンズ群（第３レンズ群Ｇ３）を小型化・軽量化することができ、オートフォーカスの高速化が可能となる。また、フォーカスレンズ群を正レンズと負レンズを有するものとすることで、フォーカス時の色収差変動を良好に抑えることができる。
【００３５】
また、下記条件式（１）および（２）を満足するように構成されている。
１．６７＜ｆ１／ｆＧｆ＜２．７０  …（１）
１．７２＜ｆ１／ｆＧｆ＜２．６０  …（１−１）
１．１５＜ｆ１／ｆＧｒ＜１．８５  …（２）
１．２０＜ｆ１／ｆＧｒ＜１．７５  …（２−１）
ただし、ｆ１：第１レンズ群の焦点距離、ｆＧｆ：合焦の際に移動するレンズ群の焦点距離、ｆＧｒ：最終レンズ群の焦点距離とする。
【００３６】
条件式（１）の下限以下とならないようにすることで、フォーカスレンズ群の屈折力が弱くなり過ぎないようにすることができ、フォーカス時のフォーカスレンズ群の移動量を抑えることができるため、レンズ系の小型化・軽量化に有利となり、さらにフォーカス速度の高速化にも有利となる。もしくは、第１レンズ群Ｇ１の屈折力が強くなり過ぎないようにすることができるため、特に望遠側での球面収差の補正に有利となる。また、条件式（１）の上限以上とならないようにすることで、フォーカスレンズ群の屈折力が強くなり過ぎないようにすることができるため、フォーカス時の収差変動を抑えることができる。もしくは、第１レンズ群Ｇ１の屈折力が弱くなり過ぎないようにすることができるため、レンズ全長を抑えることができる。なお、条件式（１−１）を満足するものとすれば、より良好な特性とすることができる。
【００３７】
条件式（２）の下限以下とならないようにすることで、第４レンズ群Ｇ４（最終レンズ群）の屈折力が弱くなり過ぎないようにすることができるため、小型化に有利となる。もしくは、第１レンズ群Ｇ１の屈折力が強くなり過ぎないようにすることができるため、特に望遠側での球面収差の補正に有利となる。また、条件式（２）の上限以上とならないようにすることで、第４レンズ群Ｇ４（最終レンズ群）の屈折力が強くなり過ぎないようにすることができるため、第４レンズ群Ｇ４（最終レンズ群）で発生するコマ収差を抑えることができる。なお、条件式（２−１）を満足するものとすれば、より良好な特性とすることができる。
【００３８】
本実施形態のズームレンズにおいては、第１レンズ群Ｇ１が変倍の際に像面Ｓｉｍに対して固定されていることが好ましい。このように第１レンズ群Ｇ１を固定することによって、枠構成が簡略化される。第１レンズ群Ｇ１が望遠端において繰り出す構成と比較して、鏡枠等などのたわみ等によるレンズの偏芯の影響を小さくすることができたり、防塵・防滴構造を採用しやすくなったりするという利点がある。
【００３９】
また、第４レンズ群Ｇ４（最終レンズ群）が変倍の際に像面Ｓｉｍに対して固定されていることが好ましい。このように、可動するレンズ群の数を少なくすることにより、偏芯の影響を受けにくくすることができる。また、変倍に伴うＦ値の変動を小さくすることができ、Ｆ値一定のズームレンズを構成するのに有利となる。
【００４０】
また、合焦の際に移動するレンズ群は、２枚の正レンズと１枚の負レンズからなることが好ましい。このような構成とすることで、フォーカス時の収差変動を小さく抑えることができる。
【００４１】
また、下記条件式（３）を満足することが好ましい。条件式（３）の下限以下とならないようにすることで、第１レンズ群Ｇ１の屈折力が弱くなり過ぎないようにすることができるため、レンズ全長を抑えることができる。また、条件式（３）の上限以上とならないようにすることで、特に望遠側での球面収差の補正に有利となる。なお、条件式（３−１）を満足するものとすれば、より良好な特性とすることができる。
１．２０＜ｆｔ／ｆ１＜２．２０  …（３）
１．２３＜ｆｔ／ｆ１＜２．００  …（３−１）
ただし、ｆｔ：望遠端における無限遠物体への合焦の際の全系の焦点距離、ｆ１：第１レンズ群の焦点距離とする。
【００４２】
また、下記条件式（４）を満足することが好ましい。条件式（４）の下限以下とならないようにすることで、第２レンズ群Ｇ２の屈折力が弱くなり過ぎないようにすることができるため、第２レンズ群Ｇ２の移動量を抑えることができる。また、条件式（４）の上限以上とならないようにすることで、特に変倍による球面収差と非点収差の変動を抑えることができる。なお、条件式（４−１）を満足するものとすれば、より良好な特性とすることができる。
５．３０＜ｆｔ／｜ｆ２｜＜８．８０  …（４）
５．５０＜ｆｔ／｜ｆ２｜＜８．６０  …（４−１）
ただし、ｆｔ：望遠端における無限遠物体への合焦の際の全系の焦点距離、ｆ２：第２レンズ群の焦点距離とする。
【００４３】
また、下記条件式（５）を満足することが好ましい。条件式（５）を満足することで、軸上色収差の補正に有利となる。また、広角端および望遠端での色収差変動や、フォーカス時の色収差変動を抑えることができる。なお、条件式（５−１）、（５−２）、（５−３）を満足するものとすれば、より良好な特性とすることができる。
５７＜νｄＧｍｐ  …（５）
５７＜νｄＧｍｐ＜８５  …（５−１）
５９＜νｄＧｍｐ  …（５−２）
５９＜νｄＧｍｐ＜８５  …（５−３）
ただし、νｄＧｍｐ：合焦の際に移動するレンズ群に配置された正レンズの最大アッベ数とする。
【００４４】
また、第１レンズ群Ｇ１は、物体側から順に、負レンズ、正レンズ、正レンズ、正レンズから実質的になることが好ましい。このように第１レンズ群Ｇ１に正レンズを３枚用いることにより、特に、望遠側での色収差および球面収差を良好に補正することができる。また、小型化等の目的のため、第１レンズ群Ｇ１全体のパワーを強くした場合でも、パワーを分散させることができ、各レンズ面で発生する諸収差を小さくすることができる。
【００４５】
また、第２レンズ群Ｇ２は、２枚の正レンズと２枚の負レンズを有することが好ましい。第２レンズ群Ｇ２をこのような構成とすることにより、前玉の小型化のため、もしくは、第２レンズ群Ｇ２の移動量を小さくするためにパワーを強くした場合でも、無理なく収差補正を行うことができ、特に広角端でのコマ収差や色収差を良好に補正することができる。
【００４６】
また、物体側から順に、第１レンズ群Ｇ１、第２レンズ群Ｇ２、第ｍｐレンズ群（第３レンズ群Ｇ３）、最終レンズ群（第４レンズ群Ｇ４）の４つのレンズ群からなることが好ましい。このような４群構成のズームレンズとしてレンズ群の数を最低限に抑えることにより、枠構成を簡略化することができるとともに、偏芯の影響を受けにくくすることができる。
【００４７】
また、絞りＳｔが第４レンズ群Ｇ４（最終レンズ群）の最も物体側に配置されていることが好ましい。第４レンズ群Ｇ４（最終レンズ群）の中ではなく、最も物体側に配置することにより、枠構成を簡略化することができる。また、第４レンズ群Ｇ４（最終レンズ群）が変倍の際に像面Ｓｉｍに対して固定されている場合には、いわゆる絞り径を変えることなくＦ値通しのズームレンズを構成することができる。
【００４８】
また、本ズームレンズが厳しい環境において使用される場合には、保護用の多層膜コートが施されることが好ましい。さらに、保護用コート以外にも、使用時のゴースト光低減等のための反射防止コートを施すようにしてもよい。
【００４９】
また、図１に示す例では、レンズ系と像面Ｓｉｍとの間に光学部材ＰＰを配置した例を示したが、ローパスフィルタや特定の波長域をカットするような各種フィルタ等をレンズ系と像面Ｓｉｍとの間に配置する代わりに、各レンズの間にこれらの各種フィルタを配置してもよく、もしくは、いずれかのレンズのレンズ面に、各種フィルタと同様の作用を有するコートを施してもよい。
【００５０】
次に、本発明のズームレンズの数値実施例について説明する。
まず、実施例１のズームレンズについて説明する。実施例１のズームレンズのレンズ構成を示す断面図を図１に示す。なお、図１および後述の実施例２〜１１に対応した図２〜１１においては、左側が物体側、右側が像側であり、図示されている絞りＳｔは必ずしも大きさや形状を表すものではなく、光軸Ｚ上の位置を示すものである。また、図中のＦｏｃｕｓは合焦を行うためのレンズ群を示しており、Ｏｉｓは手振れ補正を行うためのレンズ群を示している。
【００５１】
実施例１のズームレンズは、物体側から順に、正の屈折力を有する第１レンズ群Ｇ１、負の屈折力を有する第２レンズ群Ｇ２、正の屈折力を有する第３レンズ群Ｇ３（第ｍｐレンズ群）、正の屈折力を有する第４レンズ群Ｇ４（最終レンズ群）が配列されてなる４群構成のズームレンズである。
【００５２】
実施例１のズームレンズの基本レンズデータを表１に、諸元に関するデータを表２に、移動面の間隔に関するデータを表３に示す。以下では、表中の記号の意味について、実施例１のものを例にとり説明するが、実施例２〜１１についても基本的に同様である。
【００５３】
表１のレンズデータにおいて、面番号の欄には最も物体側の構成要素の面を１番目として像側に向かうに従い順次増加する面番号を示し、曲率半径の欄には各面の曲率半径を示し、面間隔の欄には各面とその次の面との光軸Ｚ上の間隔を示す。また、ｎｄの欄には各光学要素のｄ線（波長５８７．６ｎｍ）に対する屈折率を示し、νｄの欄には各光学要素のｄ線（波長５８７．６ｎｍ）に対するアッベ数を示し、θｇｆの欄には各光学要素の部分分散比を示す。
【００５４】
なお、部分分散比θｇｆは下記式で表される。
θｇｆ＝（ｎｇ−ｎＦ）／（ｎＦ−ｎＣ）
ただし、ｎｇ：ｇ線(波長４３５．８ｎｍ)に対する屈折率、ｎＦ：Ｆ線(波長４８６．１ｎｍ)に対する屈折率、ｎＣ：Ｃ線(波長６５６．３ｎｍ)に対する屈折率とする。
【００５５】
ここで、曲率半径の符号は、面形状が物体側に凸の場合を正、像側に凸の場合を負としている。基本レンズデータには、絞りＳｔ、光学部材ＰＰも含めて示している。絞りＳｔに相当する面の面番号の欄には面番号とともに（絞り）という語句を記載している。また、表１のレンズデータにおいて、変倍の際に間隔が変化する面間隔の欄にはそれぞれＤＤ[面番号]と記載している。広角端、中間、望遠端における、このＤＤ[面番号]に対応する数値は表３に示している。
【００５６】
表２の諸元に関するデータに、広角端、中間、望遠端における、ズーム倍率、焦点距離ｆ´、バックフォーカスＢｆ´、Ｆ値ＦＮｏ．、全画角２ωの値を示す。
【００５７】
基本レンズデータ、諸元に関するデータ、および移動面の間隔に関するデータにおいて、角度の単位としては度を用い、長さの単位としてはｍｍを用いているが、光学系は比例拡大又は比例縮小しても使用可能なため他の適当な単位を用いることもできる。
【００５８】
【表１】
2016050945.tif 000003
【００５９】
【表２】
2016050945.tif 000004
【００６０】
【表３】
2016050945.tif 000005
【００６１】
実施例１のズームレンズの各収差図を図１２に示す。なお、図１２中の上段左側から順に広角端での球面収差、正弦条件違反量、非点収差、歪曲収差、倍率色収差を示し、中段左側から順に中間位置での球面収差、正弦条件違反量、非点収差、歪曲収差、倍率色収差を示し、下段左側から順に望遠端での球面収差、正弦条件違反量、非点収差、歪曲収差、倍率色収差を示す。球面収差、正弦条件違反量、非点収差、歪曲収差を表す各収差図には、ｄ線（波長５８７．６ｎｍ）を基準波長とした収差を示す。球面収差図にはｄ線（波長５８７．６ｎｍ）、Ｃ線(波長６５６．３ｎｍ)、Ｆ線(波長４８６．１ｎｍ)、ｇ線(波長４３５．８ｎｍ)についての収差をそれぞれ実線、長破線、短破線、灰色線で示す。非点収差図にはサジタル方向、タンジェンシャル方向の収差をそれぞれ実線と短破線で示す。倍率色収差図にはＣ線(波長６５６．３ｎｍ)、Ｆ線(波長４８６．１ｎｍ) 、ｇ線(波長４３５．８ｎｍ)についての収差をそれぞれ長破線、短破線、灰色線で示す。なお、これらの縦収差は全て無限遠物体合焦時のものである。球面収差および正弦条件違反量の収差図のＦＮｏ．はＦ値、その他の収差図のωは半画角を意味する。
【００６２】
実施例１のズームレンズの各横収差図を図２３に示す。図２３上側から順に広角端、中間位置、望遠端の横収差図を示す。各横収差図は左右２列に収差を示しているが、左列のものがタンジェンシャル方向に関する収差、右列のものがサジタル方向に関する収差である。各横収差図は、像面の中心における収差を上段に、像高が＋側最大像高の８０％となる位置における収差を中段に、そして像高が−側最大像高の８０％となる位置における収差を下段に示している。なお図２３では、ｄ線（波長５８７．６ｎｍ）、Ｃ線(波長６５６．３ｎｍ)、Ｆ線(波長４８６．１ｎｍ)、ｇ線(波長４３５．８ｎｍ)についての収差をそれぞれ実線、長破線、短破線、灰色線で示す。なお、これらの横収差は全て無限遠物体合焦時のものである。各収差図中のωは半画角を意味する。
【００６３】
上記の実施例１の説明で述べた各データの記号、意味、記載方法は、特に断りがない限り以下の実施例のものについても同様であるので、以下では重複説明を省略する。
【００６４】
次に、実施例２のズームレンズについて説明する。実施例２のズームレンズは、実施例１のズームレンズと同様のレンズ群構成である。実施例２のズームレンズのレンズ構成を示す断面図を図２に示す。また、実施例２のズームレンズの基本レンズデータを表４に、諸元に関するデータを表５に、移動面の間隔に関するデータを表６に、各収差図を図１３に、各横収差図を図２４に示す。
【００６５】
【表４】
2016050945.tif 000006
【００６６】
【表５】
2016050945.tif 000007
【００６７】
【表６】
2016050945.tif 000008
【００６８】
次に、実施例３のズームレンズについて説明する。実施例３のズームレンズは、実施例１のズームレンズと同様のレンズ群構成である。実施例３のズームレンズのレンズ構成を示す断面図を図３に示す。また、実施例３のズームレンズの基本レンズデータを表７に、諸元に関するデータを表８に、移動面の間隔に関するデータを表９に、各収差図を図１４に、各横収差図を図２５に示す。
【００６９】
【表７】
2016050945.tif 000009
【００７０】
【表８】
2016050945.tif 000010
【００７１】
【表９】
2016050945.tif 000011
【００７２】
次に、実施例４のズームレンズについて説明する。実施例４のズームレンズは、実施例１のズームレンズと同様のレンズ群構成である。実施例４のズームレンズのレンズ構成を示す断面図を図４に示す。また、実施例４のズームレンズの基本レンズデータを表１０に、諸元に関するデータを表１１に、移動面の間隔に関するデータを表１２に、各収差図を図１５に、各横収差図を図２６に示す。
【００７３】
【表１０】
2016050945.tif 000012
【００７４】
【表１１】
2016050945.tif 000013
【００７５】
【表１２】
2016050945.tif 000014
【００７６】
次に、実施例５のズームレンズについて説明する。実施例５のズームレンズは、実施例１のズームレンズと同様のレンズ群構成である。実施例５のズームレンズのレンズ構成を示す断面図を図５に示す。また、実施例５のズームレンズの基本レンズデータを表１３に、諸元に関するデータを表１４に、移動面の間隔に関するデータを表１５に、各収差図を図１６に、各横収差図を図２７に示す。
【００７７】
【表１３】
2016050945.tif 000015
【００７８】
【表１４】
2016050945.tif 000016
【００７９】
【表１５】
2016050945.tif 000017
【００８０】
次に、実施例６のズームレンズについて説明する。実施例６のズームレンズは、実施例１のズームレンズと同様のレンズ群構成である。実施例６のズームレンズのレンズ構成を示す断面図を図６に示す。また、実施例６のズームレンズの基本レンズデータを表１６に、諸元に関するデータを表１７に、移動面の間隔に関するデータを表１８に、各収差図を図１７に、各横収差図を図２８に示す。
【００８１】
【表１６】
2016050945.tif 000018
【００８２】
【表１７】
2016050945.tif 000019
【００８３】
【表１８】
2016050945.tif 000020
【００８４】
次に、実施例７のズームレンズについて説明する。実施例７のズームレンズは、実施例１のズームレンズと同様のレンズ群構成である。実施例７のズームレンズのレンズ構成を示す断面図を図７に示す。また、実施例７のズームレンズの基本レンズデータを表１９に、諸元に関するデータを表２０に、移動面の間隔に関するデータを表２１に、各収差図を図１８に、各横収差図を図２９に示す。
【００８５】
【表１９】
2016050945.tif 000021
【００８６】
【表２０】
2016050945.tif 000022
【００８７】
【表２１】
2016050945.tif 000023
【００８８】
次に、実施例８のズームレンズについて説明する。実施例８のズームレンズは、物体側から順に、正の屈折力を有する第１レンズ群Ｇ１、負の屈折力を有する第２レンズ群Ｇ２、負の屈折力を有する第３レンズ群Ｇ３、正の屈折力を有する第４レンズ群Ｇ４（第ｍｐレンズ群）、正の屈折力を有する第５レンズ群Ｇ５（最終レンズ群）が配列されてなる５群構成のズームレンズである。実施例８のズームレンズのレンズ構成を示す断面図を図８に示す。また、実施例８のズームレンズの基本レンズデータを表２２に、諸元に関するデータを表２３に、移動面の間隔に関するデータを表２４に、各収差図を図１９に、各横収差図を図３０に示す。
【００８９】
【表２２】
2016050945.tif 000024
【００９０】
【表２３】
2016050945.tif 000025
【００９１】
【表２４】
2016050945.tif 000026
【００９２】
次に、実施例９のズームレンズについて説明する。実施例９のズームレンズは、実施例８のズームレンズと同様のレンズ群構成である。実施例９のズームレンズのレンズ構成を示す断面図を図９に示す。また、実施例９のズームレンズの基本レンズデータを表２５に、諸元に関するデータを表２６に、移動面の間隔に関するデータを表２７に、各収差図を図２０に、各横収差図を図３１に示す。
【００９３】
【表２５】
2016050945.tif 000027
【００９４】
【表２６】
2016050945.tif 000028
【００９５】
【表２７】
2016050945.tif 000029
【００９６】
次に、実施例１０のズームレンズについて説明する。実施例１０のズームレンズは、実施例１のズームレンズと同様のレンズ群構成である。実施例１０のズームレンズのレンズ構成を示す断面図を図１０に示す。また、実施例１０のズームレンズの基本レンズデータを表２８に、諸元に関するデータを表２９に、移動面の間隔に関するデータを表３０に、各収差図を図２１に、各横収差図を図３２に示す。
【００９７】
【表２８】
2016050945.tif 000030
【００９８】
【表２９】
2016050945.tif 000031
【００９９】
【表３０】
2016050945.tif 000032
【０１００】
次に、実施例１１のズームレンズについて説明する。実施例１１のズームレンズは、実施例１のズームレンズと同様のレンズ群構成である。実施例１１のズームレンズのレンズ構成を示す断面図を図１１に示す。また、実施例１１のズームレンズの基本レンズデータを表３１に、諸元に関するデータを表３２に、移動面の間隔に関するデータを表３３に、各収差図を図２２に、各横収差図を図３３に示す。
【０１０１】
【表３１】
2016050945.tif 000033
【０１０２】
【表３２】
2016050945.tif 000034
【０１０３】
【表３３】
2016050945.tif 000035
【０１０４】
実施例１〜１１のズームレンズの条件式（１）〜（５）に対応する値を表３４に示す。なお、全実施例ともｄ線を基準波長としており、下記の表３４に示す値はこの基準波長におけるものである。
【０１０５】
【表３４】
2016050945.tif 000036
【０１０６】
以上のデータから、実施例１〜１１のズームレンズは全て、条件式（１）〜（５）を満たしており、望遠端での画角が１０度〜１３度程度、変倍比が２．４〜３．１程度、ズーム全域での開放Ｆ値が２．８程度の大口径比の望遠ズームレンズであり、またフォーカスレンズ群が小型・軽量で、かつフォーカスレンズ群の移動量が小さく、さらに高い光学性能を有するズームレンズであることが分かる。
【０１０７】
次に、図３４および図３５を参照して本発明に係る撮像装置の一実施形態について説明する。図３４、図３５にそれぞれ前面側、背面側の斜視形状を示すカメラ３０は、本発明の実施形態によるズームレンズ１を鏡筒内に収納した交換レンズ２０が取り外し自在に装着される、ノンレフレックス方式のデジタルカメラである。
【０１０８】
このカメラ３０はカメラボディ３１を備え、その上面にはシャッターボタン３２と電源ボタン３３とが設けられている。またカメラボディ３１の背面には、操作部３４、３５と表示部３６とが設けられている。表示部３６は、撮像された画像や、撮像される前の画角内にある画像を表示するためのものである。
【０１０９】
カメラボディ３１の前面中央部には、撮影対象からの光が入射する撮影開口が設けられ、その撮影開口に対応する位置にマウント３７が設けられ、このマウント３７を介して交換レンズ２０がカメラボディ３１に装着されるようになっている。
【０１１０】
そしてカメラボディ３１内には、交換レンズ２０によって形成された被写体像を受け、それに応じた撮像信号を出力するＣＣＤ等の撮像素子（不図示）、その撮像素子から出力された撮像信号を処理して画像を生成する信号処理回路、およびその生成された画像を記録するための記録媒体等が設けられている。このカメラ３０では、シャッターボタン３２を押すことにより静止画または動画の撮影が可能であり、この撮影で得られた画像データが上記記録媒体に記録される。
【０１１１】
本実施形態のカメラ３０は、本発明のズームレンズ１を備えたものであるから、小型、軽量であり、かつ、高画質の画像を取得することができる。
【０１１２】
以上、実施形態および実施例を挙げて本発明を説明したが、本発明は上記実施形態および実施例に限定されず、種々の変形が可能である。例えば、各レンズの曲率半径、面間隔、屈折率、アッベ数、非球面係数の値は、上記各実施例で示した値に限定されず、他の値をとり得るものである。
【０１１３】
また、撮像装置の実施形態では、ノンレフレックス（いわゆるミラーレス）方式のデジタルカメラを例に挙げ図を示して説明したが、本発明の撮像装置はこれに限定されるものではなく、例えば、ビデオカメラ、デジタルカメラ、映画撮影用カメラ、放送用カメラ等の撮像装置に本発明を適用することも可能である。
【符号の説明】
【０１１４】
１    ズームレンズ
２０    交換レンズ
３０    カメラ
３１    カメラボディ
３２    シャッターボタン
３３    電源ボタン
３４、３５    操作部
３６    表示部
３７    マウント
Ｇ１    第１レンズ群
Ｇ２    第２レンズ群
Ｇ３    第３レンズ群
Ｇ４    第４レンズ群
Ｇ５    第５レンズ群
ＰＰ    光学部材
Ｌ１１〜Ｌ６１    レンズ
Ｓｉｍ    像面
Ｓｔ    絞り
Ｚ    光軸
【図１】
2016050945.tif 000037
【図２】
2016050945.tif 000038
【図３】
2016050945.tif 000039
【図４】
2016050945.tif 000040
【図５】
2016050945.tif 000041
【図６】
2016050945.tif 000042
【図７】
2016050945.tif 000043
【図８】
2016050945.tif 000044
【図９】
2016050945.tif 000045
【図１０】
2016050945.tif 000046
【図１１】
2016050945.tif 000047
【図１２】
2016050945.tif 000048
【図１３】
2016050945.tif 000049
【図１４】
2016050945.tif 000050
【図１５】
2016050945.tif 000051
【図１６】
2016050945.tif 000052
【図１７】
2016050945.tif 000053
【図１８】
2016050945.tif 000054
【図１９】
2016050945.tif 000055
【図２０】
2016050945.tif 000056
【図２１】
2016050945.tif 000057
【図２２】
2016050945.tif 000058
【図２３】
2016050945.tif 000059
【図２４】
2016050945.tif 000060
【図２５】
2016050945.tif 000061
【図２６】
2016050945.tif 000062
【図２７】
2016050945.tif 000063
【図２８】
2016050945.tif 000064
【図２９】
2016050945.tif 000065
【図３０】
2016050945.tif 000066
【図３１】
2016050945.tif 000067
【図３２】
2016050945.tif 000068
【図３３】
2016050945.tif 000069
【図３４】
2016050945.tif 000070
【図３５】
2016050945.tif 000071